(57)【特許請求の範囲】
【請求項１】
特定の人もしくは事物に関する１以上の属性情報からなる属性情報群を記憶する記録媒体から、属性情報を利用する属性情報利用装置により要求される属性情報を読み出して、当該属性情報利用装置に送信する属性情報管理装置であって、
前記記録媒体が記録する属性情報群は含まれる属性情報の種類が特定されないものであり、
前記記録媒体から記録内容を読み出す属性情報読出手段と、
前記属性情報を利用する属性情報利用装置から、取得を要求する１以上の属性の種類の指定を受け付ける属性種類受付手段と、
前記属性情報読出手段を介して、前記記録媒体に記憶されている属性情報群と、受け付けられた前記属性の種類とを比較して不足している属性の種類を抽出する不足属性種類抽出手段と、
抽出された属性の種類を前記属性情報群の管理者である操作者へ通知する不足属性種類通知手段と
前記不足している前記属性の種類に合致する属性情報を受け付ける不足属性情報受付手段と、
受け付けられた前記属性情報を前記属性情報利用装置へ送信する不足属性情報送信手段と、
受け付けられた属性情報を前記属性情報群の属性情報として前記記録媒体に追加書き込みする属性情報追加書込手段と
を有する属性情報管理装置。
【請求項２】
前記属性情報管理装置において、さらに、
不足属性種類抽出手段により抽出された属性の種類を前記属性情報利用装置へ送信する不足属性種類送信手段と、
前記属性情報利用装置から前記不足している属性の種類に合致する属性情報の取得方法もしくは取得場所の少なくとも一つを示す情報である属性取得情報を受け付ける属性取得情報受付手段と、
受け付けられた属性取得情報を前記操作者へ通知する属性取得情報通知手段とを設けた請求項１に記載の属性情報管理装置。
【請求項３】
特定の人もしくは事物に関する１以上の属性情報からなる属性情報群を記憶する記録媒体から、属性情報を利用する属性情報利用装置により要求される属性情報を読み出して、当該属性情報利用装置に送信する属性情報管理装置であって、
前記記録媒体が記録する属性情報群は含まれる属性情報の種類が特定されないものであり、
前記記録媒体から記録内容を読み出す属性情報読出手段と、
前記属性情報を利用する属性情報利用装置から、取得を要求する１以上の属性の種類の指定を受け付ける属性種類受付手段と、
前記属性情報読出手段を制御して、受け付けられた前記属性の種類に合致する属性情報を前記記録媒体から抽出する受付属性種類抽出手段と、
抽出された属性情報を前記属性情報利用装置へ送信する抽出属性情報送信手段と、
前記属性情報利用装置から不足している属性の種類に合致する属性情報の取得方法もしくは取得場所の少なくとも一つを示す情報である属性取得情報を受け付ける属性取得情報受付手段と、
受け付けられた属性取得情報を前記操作者へ通知する属性取得情報通知手段と、
前記不足している前記属性の種類に合致する属性情報を受け付ける不足属性情報受付手段と、
受け付けられた前記属性情報を前記属性情報利用装置へ送信する不足属性情報送信手段と
受け付けられた属性情報を前記記録媒体に追加書き込みする属性情報追加書込手段と
を有する属性情報管理装置。
【請求項４】
特定の人もしくは事物に関する１以上の属性情報からなる属性情報群を記憶する記録媒体から、属性情報を利用する属性情報利用装置により要求される属性情報を読み出して、当該属性情報利用装置に送信する属性情報管理装置であって、
前記記録媒体が記録する属性情報群は含まれる属性情報の種類が特定されないものであり、
前記記録媒体から記録内容を読み出す属性情報読出手段と、
前記属性情報を利用する属性情報利用装置から、取得を要求する１以上の属性の種類の指定を受け付ける属性種類受付手段と、
前記属性情報読出手段を介して、前記記録媒体に記憶されている属性情報群と、受け付けられた前記属性の種類とを比較して不足している属性の種類を抽出する不足属性種類抽出手段と、
前記不足属性種類抽出手段により抽出された前記属性の種類を前記属性情報利用装置へ送信する不足属性種類送信手段と、
前記属性情報利用装置から、前記属性管理装置に通信回線で接続されている、前記不足している属性の種類に合致する属性情報を取得できる属性情報提供装置のアドレス情報を受け付ける不足属性取得アドレス受付手段と、
受け付けられた前記アドレス情報に基づいて、前記属性情報提供装置へアクセスして前記抽出された不足している属性の種類に合致する属性情報を取得する不足属性情報取得手段と、
取得された属性情報を前記属性情報利用装置へ送信する取得属性情報送信手段と、
前記不足属性情報取得手段が取得した属性情報を前記属性情報群の属性情報として前記記録媒体に追加書き込みする属性情報追加書込手段と
を有する属性情報管理装置。
【請求項５】
コンピュータに請求項１から４のいずれか１項に記載の属性情報管理装置として機能させるためのプログラム。
【発明の詳細な説明】
【０００１】
【発明の属する技術分野】
本発明は、特定の人もしくは事物に関する種類の特定されない属性情報群を管理、利用、認証する装置に関する。
【０００２】
【従来の技術】
本発明の発明者らは、特定の人もしくは事物に関する属性情報の集合をその特定の人もしくは事物の「個性」として、この個性を記録媒体に記録してその個性の所有者（「個性の所有者」は事物の個性については、その事物の所有者もしくは管理者を意味するものとする）がこの個性を管理し、また、第３者がこの個性を利用する装置や方法について提案している。
個性に含まれる属性情報は特定の人もしくは事物に関する特徴・性質を示す情報であり、名前、性別、血液型等の変更がない基本的な情報、年齢、会社、部署、所属団体、住所、電話番号、ファックス番号、電子メールアドレス、学歴、職歴等の変更の可能性があり更新が必要な情報、印鑑証明、住民票、納税証明等の特定の機関により発行され管理される情報、商品の購買履歴、特定の相手への通話回数、特定のホームページへのアクセス回数等の履歴情報、趣味・嗜好のような恣意的な情報等種々のものが想定される。
なお、個性には無限の属性情報が含まれる可能性があるが実際に使用されるのは記録媒体に記録されたものである。ここでは、記録媒体に記録された個性を顕在的な個性、記録媒体に記録されている属性情報と記録媒体に記録されていないが個性を構成する可能性のある属性情報とにより構成される個性を潜在的な個性と称するものとし、以下、「個性」というときは断りのない限り顕在的な個性を指すものとする。
【０００３】
個性に含まれる属性情報の属性の種類は特定されず、種々雑多なものが使用履歴や個性の管理者の意思によって記録することができる。また、通常は個性に含まれる属性情報は使用するに従って増大していく。
このような個性を記録媒体に記録して個性の所有者が管理することにより、個性の所有者は自分の属性情報を一元的に管理することができるようになる。例えば、あるサービスを受けるために印鑑証明や納税証明などが必要な場合に、これらの属性情報は別々の機関が管理しているので、従来であればそれぞれを管理する機関に証明書を発行してもらったのちにこれらを提出する必要があるが、個性として一元管理していれば自分の属性情報を無駄な労力を使うことなく迅速にサービスの提供者に提出することができる。
また、個性を利用することにより個性の所有者の利便性も向上する。例えば、一つのサービスとしての電子商取引において属性情報としての名前、住所、クレジットカード番号が要求され、別のサービスとしての資格試験の申請に名前、住所、年齢、学歴が要求されるような場合に、別々に属性情報を入力する必要なく一つの記録媒体から必要な情報をサービス提供者へ提出することができる。
【０００４】
【発明が解決しようとする課題】
ところで、個性に含まれる属性情報の属性の種類は各個性ごとにばらばらであり、記録媒体に記録された個性を利用する立場からすると、記録媒体に求める属性情報がない場合がある。このような場合に処理を打ち切ってしまうと個性の所有者側にとっては使い勝手の悪いシステムとなってしまう。
また、逆に個性の管理者側からすると個性を利用する相手は利用する際に初めて特定される場合が多く、送信すべき属性情報がわからない。この場合、個性を利用する相手から必要な属性情報の要求を受けることになるが無制限に要求する属性情報を送ってしまうと不用意に自己の属性情報を使用されることになるので思わぬ不利益をこうむる可能性がある。
本発明は、このような問題に鑑み、個性を使用するシステムにおいて個性に含まれる属性情報の属性の種類が一定しないことによる不都合を解消することを目的とする。
【０００５】
【課題を解決するための手段】
上記課題を解決するために本発明は次のような構成を有する。
請求項１に記載の属性情報管理装置は、特定の人もしくは事物に関する１以上の属性情報からなり、含まれる属性情報の種類が特定されない属性情報群を記憶する記録媒体から記録内容を読み出す属性情報読出手段を有する。そして、属性条件受付手段が前記属性情報を利用する属性情報利用装置から、取得を要求する１以上の属性情報に関する条件を受け付け、利用属性条件通知手段が受け付けられた前記条件を、前記属性情報群の管理者である操作者に通知し、属性条件選択受付手段が通知された前記条件の選択を前記操作者から受け付ける。さらに、許可属性情報抽出手段が前記属性情報読出手段を制御して、選択された前記条件に合致する属性情報を前記記録媒体から抽出し、抽出属性情報送信手段が抽出された属性情報を前記属性情報利用装置へ送信する。
そして、前記条件は属性情報に含まれる属性の種類の指定であって、前記記録媒体には、無条件で属性情報の送信が許可される属性の種類である公開属性種類と、属性情報の送信に際して前記操作者の許可を要する属性の種類である要許可属性種類とが識別できるように記憶されている。さらに、前記利用属性条件通知手段は、前記属性情報読出手段を介して前記記録媒体を参照し、受け付けられた前記条件としての属性の種類のうち要許可属性種類のみを前記操作者に通知し、前記許可属性情報抽出手段は、選択された前記条件としての属性の種類に合致する属性情報に加えて、前記条件としての属性の種類のうち公開属性種類に属する属性情報を抽出する。
なお、属性情報利用装置が「属性情報を利用する」場合として属性情報を利用するために収集することが含まれる。さらに、選択には１アクションによる一括選択が含まれる。それから、「送信」には、同一機器内における他の機能部分に対する情報の伝達も含まれる。
【０００６】
属性情報管理装置は、記憶されている属性情報群が種類が特定されないために属性情報利用装置から要求される属性条件を受け付ける必要がある。そこで、請求項１に記載の属性情報管理装置は、上記のような構成、動作により、この条件に合致する属性情報を属性情報利用装置へ送信する前に、属性情報管理装置の操作者がその条件に合致する属性情報を送ってよいかどうかの判断を行うことができ、さらに、予め許可無く送信してもよい属性の種類に関しては通知されないので操作者が不必要な判断をする手間が省かれる。
【０００８】
請求項２に記載の属性情報管理装置は、特定の人もしくは事物に関する１以上の属性情報からなり、含まれる属性情報の種類が特定されない属性情報群を記憶する記録媒体から記録内容を読み出す属性情報読出手段を有する。そして、属性条件受付手段が前記属性情報を使用する属性情報利用装置から、取得を要求する１以上の属性情報に関する条件を受け付け、受付属性情報抽出手段が前記属性情報読出手段を制御して、受け付けられた前記条件に合致する属性情報を前記記録媒体から抽出し、抽出属性情報通知手段が抽出された属性情報を操作者に通知する。さらに、属性情報選択受付手段が通知された属性情報の選択を前記操作者から受け付け、選択属性情報送信手段が選択された属性情報を前記属性情報利用装置へ送信する。
そして、前記記録媒体には、無条件で属性情報の送信が許可される属性情報である公開属性情報と、属性情報の送信に際して前記操作者の許可を要する属性情報である要許可属性情報とが識別できるように記憶されている。そして、前記抽出属性情報通知手段は、受付属性情報抽出手段により抽出された属性情報のうち要許可属性情報のみを前記操作者に通知し、前記選択属性情報送信手段は、選択された前記属性情報に加えて、受付属性情報抽出手段により抽出された属性情報のうち公開属性情報も送信する。
なお、属性情報の通知は属性情報の内容のすべてを通知することを要求するものではなく、属性の種類名等、操作者が属性情報を認識できるような形で通知されれば足りる。
属性情報管理装置はやはり記憶されている属性情報群が種類が特定されないために属性情報利用装置から要求される属性条件を受け付ける必要がある。そこで請求項２に係る属性情報管
理装置は上記のような構成、動作により この条件に基づき抽出される属性情報を属性情報利用装置へ送信する前に、属性情報管理装置の操作者が抽出された属性情報を送ってよいかどうかの判断を行うことができ、さらに、予め許可無く送信してもよい属性情報に関しては操作者に通知されないので操作者が不必要な判断をする手間が省かれる。
【００１１】
請求項３に記載の属性情報管理装置は、特定の人もしくは事物に関する１以上の属性情報からなり、含まれる属性情報の種類が特定されない属性情報群を記憶する記録媒体から記録内容を読み出す属性情報読出手段を有する。そして、属性種類受付手段が前記属性情報を利用する属性情報利用装置から、取得を要求する１以上の属性の種類の指定を受け付け、不足属性種類抽出手段が前記属性情報読出手段を介して、前記記録媒体に記憶されている属性情報群と、受け付けられた前記属性の種類とを比較して不足している属性の種類を抽出し、不足属性種類通知手段が抽出された属性の種類を前記属性情報群の管理者である操作者へ通知する。さらに、不足属性情報受付手段が前記不足している前記属性の種類に合致する属性情報を受け付けると、不足属性情報送信手段が受け付けられた前記属性情報を前記属性情報利用装置へ送信し、属性情報追加書込手段が受け付けられた属性情報を前記記録媒体に追加書き込みする。
このような構成、動作により請求項３に係る属性情報管理装置は、属性情報利用装置から要求された属性の種類に合致する属性情報が不足している場合に属性情報群の管理者である操作者へ不足している属性の種類が通知され、不足していた属性情報が属性情報利用装置に送信されるとともに、もとの記録媒体には無かった新たな属性情報が記録媒体に追加して記憶されることになる。
【００１２】
請求項４に記載の属性情報管理装置は請求項３に記載の属性情報管理装置において、さらに、不足属性種類送信手段が不足属性種類抽出手段により抽出された属性の種類を前記属性情報利用装置へ送信し、属性取得情報受付手段が前記属性情報利用装置から前記不足している属性の種類に合致する属性情報の取得方法もしくは取得場所の少なくとも一つを示す情報である属性取
得情報を受け付け、属性取得情報通知手段が受け付けられた属性取得情報を前記操作者へ通知する。このような構成、動作により請求項４に係る属性情報管理装置は、属性情報利用装置が要求する種類の属性情報が無い場合に、これを取得するための情報である属性取得情報が属性情報の管理者である操作者へ通知されることになる。
【００１３】
請求項５に記載の属性情報管理装置は、特定の人もしくは事物に関する種類の特定されない属性情報群を記憶する記録媒体から記録内容を読み出す属性情報読出手段を有する。そして、属性種類受付手段が前記属性情報を利用する属性情報利用装置から、取得を要求する１以上の属性の種類の指定を受け付け、受付属性種類抽出手段が前記属性情報読出手段を制御して、受け付けられた前記属性の種類に合致する属性情報を前記記録媒体から抽出し、抽出属性情報送信手段が抽出された属性情報を前記属性情報利用装置へ送信する。さらに、属性取得情報受付手段が前記属性情報利用装置から不足している属性の種類に合致する属性情報の取得方法もしくは取得場所の少なくとも一つを示す情報である属性取得情報を受け付け、属性取得情報通知手段が受け付けられた属性取得情報を前記操作者へ通知する。さらに、不足属性情報受付手段が前記不足している前記属性の種類に合致する属性情報を受け付けると、不足属性情報送信手段が受け付けられた前記属性情報を前記属性情報利用装置へ送信し、属性情報追加書込手段が受け付けられた属性情報を前記記録媒体に追加書き込みする。
このような構成、動作により請求項５に係る属性情報管理装置は、やはり属性情報利用装置が要求する種類の属性情報が無い場合に、これを取得するための情報である属性取得情報が属性情報の管理者である操作者へ通知され、不足していた属性情報が属性情報利用装置に送信されるとともに、もとの記録媒体には無かった新たな属性情報が記録媒体に追加して記憶されることになる。
【００１５】
請求項６に記載の発明は、特定の人もしくは事物に関する１以上の属性情報からなり、含まれる属性情報の種類が特定されない属性情報群を記憶する記録媒体から記録内容を読み出す属性情報読出手段を有する。そして、属性種類受付手段が前記属性情報を利用する属性情報利用装置から、取得を要求する１以上の属性の種類の指定を受け付け、不足属性種類抽出手段が前記属性情報読出手段を介して、前記記録媒体に記憶されている属性情報群と、受け付けられた前記属性の種類とを比較して不足している属性の種類を抽出し、不足属性種類送信手段が前記不足属性種類抽出手段により抽出された前記属性の種類を前記属性情報利用装置へ送信し、不足属性取得アドレス受付手段が前記属性情報利用装置から、前記属性管理装置に通信回線で接続されている、前記不足している属性の種類に合致する属性情報を取得できる属性情報提供装置のアドレス情報を受け付け、不足属性情報取得手段が受け付けられた前記アドレス情報に基づいて前記属性情報提供装置へアクセスして前記抽出された不足している属性の種類に合致する属性情報を取得し、取得属性情報送信手段が取得された属性情報を前記属性情報利用装置へ送信する。そして、属性情報追加書込手段が前記不足属性情報取得手段が取得した属性情報を前記記録媒体に追加書き込みする。
なお、アドレス情報とは通信ネットワーク上における各装置の接続先を示す情報をいうものとする。
このような構成、動作により請求項６に係る属性情報管理装置は属性情報利用装置が要求する属性情報が無い場合に、この不足している属性情報を取得できる属性情報提供装置のアドレス情報に基づいて自動的に不足している属性情報を取得し、属性情報利用装置へ送信することができ、自動的に元の記録媒体には不足していた属性情報が、記録媒体に追加記録されることになる。
【００２３】
請求項７に記載の発明はコンピュータに請求項１から６のいずれか１項に記載の属性情報管理装置として機能させるためのプログラムである。
【００２４】
【発明の実施の形態】
以下、図面を参照して発明の実施の形態について説明する。
（実施の形態１）
（１）個性運用システム
図１に個性運用システムの概要を表す模式図を示す。図１に示される個性運用システムは特定の人もしくは事物に関する種類の特定されない属性情報群（以下、本明細書では「個性」と称する）の管理、利用、追加を行うためのシステムである。
この個性運用システムは通信ネットワークにより互いに接続されるコンピュータ群により構成される。なお、通信ネットワークとしてはインターネット、電話回線網、域内ＶＡＮ等、情報の交換が可能なネットワークを用いることができるが、ここではインターネットを使用するものとする。
個性運用システムには、属性情報管理装置Ａ、属性情報利用装置Ｂ、属性情報提供装置Ｃ、属性情報認証装置Ｄ、属性データ形式管理装置Ｅが含まれる。それぞれの装置は一般的なコンピュータに下記に説明するような機能を実現するプログラムを内蔵することにより実現されている。
【００２５】
これら各装置を実現するためのコンピュータのハードウエア構成を簡単に説明しておく。図２に各装置のハードウエア構成の概略を表すブロック図を示す。図２に示すように各装置は、演算処理を行うＣＰＵ１１、ＣＰＵ１１の作業領域等となるＲＡＭ１２、基本的なプログラムやデータを記憶するＲＯＭ１３、ＣＰＵ１１の動作タイミングをとるためのクロック１４、アプリケーションソフトウエアやデータを記憶するハードデスク１５、通信ネットワークを介して情報の授受を行うネットワークインターフェース１６が含まれる。なお、さらに操作者への情報の提示および入力の受付が必要な装置についてはさらに、キーボード、マウス等の入力デバイス、モニタ、プリンタ当の出力デバイスが接続される。ここでいうコンピュータとはＣＰＵを有し内臓されるプログラムにより情報の処理ができるものであれば足り、ＣＰＵを内臓した携帯電話や携帯情報端末等が含まれる。
【００２６】
（２）個性
上述したように、本明細書において個性とは特定の人もしくは事物に関する種類の特定されない属性情報群をいう。個性を構成する各属性情報は属性情報の内容を含み、少なくとも一の属性情報利用装置が種類を特定できる情報が含まれる。また、個性には個性の識別情報となる個性ＩＤが個性ごとに付される。
個性は記録媒体に記録され管理される。記録媒体としては少なくともコンピュータによる読み取りができるものであれば利用可能であり紙媒体も含まれるが、望ましくは、書き込みも可能な半導体メモリ、磁気ディスク、光記磁気ディスク、光磁気ディスク等が使用される。
記録媒体に記録される個性に含まれる属性情報は、個性の管理者が入力デバイスを用いて入力する場合と、属性情報提供装置Ｃ側で生成されたものを取得する場合とがある。各属性情報のデータの要素および構造に関する規則（以下、「データ形式」という）は、属性情報が属性情報提供装置Ｃから提供される場合は提供されたときのデータ形式で記憶される。一方、入力デバイスから入力される場合は、属性情報管理装置Ａにより定められる所定のデータ形式もしくは予め属性情報管理装置Ａの操作者に付与されているテーブルに従って記憶される。
【００２７】
属性情報の種類としては、前述したように名前、性別、年齢、会社、部署、所属団体、住所、電話番号、ファックス番号、電子メールアドレス、学歴、職歴、印鑑証明、住民票、納税証明、商品の購買履歴、特定の相手への通話回数、特定のホームページへのアクセス回数等の履歴情報、趣味・嗜好等種々のものが想定されこれらの種類を識別する情報としては種類ごとの付される属性種類ＩＤ、公開鍵、ハッシュ値、属性種類名等が利用される。
属性情報の種類を識別する情報は、属性情報提供装置Ｃ側で属性情報が生成された場合には属性情報提供装置Ｃと属性情報利用装置Ｂとの取り決めにより定められる。この際、種類を識別する情報は属性情報提供装置Ｃに記憶された属性情報中に含まれる場合もあり、また、属性情報管理装置Ａが属性情報提供装置Ｃから属性情報の提供を受けた際に、属性情報提供装置Ｃのドメインを組み合わせた情報を種類を識別する情報として属性情報に付加するような場合もある。
一方、属性情報管理装置Ａにおいて属性情報が生成される場合は、氏名、年齢等の基本的な情報に関してはシステム全体に共通するルールにより種類を識別する情報が定められ、特定の属性情報利用装置Ｂから要求されて属性情報管理装置Ａにより属性情報が生成された場合には、属性情報利用装置Ｂ側で定める種類を識別する情報が用いられることになる。
【００２８】
記録媒体にどのような属性情報を個性として記憶させるかは、その記録媒体の使用履歴や管理者の意思によって決まるものであるので、それぞれの記録媒体に記録される個性に含まれる属性情報の種類は任意である。
また、各属性情報には無条件で属性情報の送信を行ってよい公開属性種類と送信に際して管理者の許可を要する要許可属性とがあり、各属性情報にはこのいずれかを示す公開フラグが設定される。即ち公開フラグが「１」のときは公開属性種類であり公開フラグが「０」のときは要許可属性種類となる。この公開フラグの設定は個性の管理者により行われる。なお、一つの個性に含まれる属性情報の属性の種類は一つなので公開属性種類は公開属性情報であり、要許可属性種類は要許可属性情報ということもできる。
【００２９】
図３（ａ）（ｂ）（ｃ）（ｄ）に個性を記憶した記録媒体のレコード構成の概略図を示す。本実施の形態においては記録媒体には３つのレコードが記憶されており、図３（ａ）に示すレコードは、個性を識別する個性ＩＤと記録媒体に記憶されたすべての属性情報に関する属性情報ＩＤが関連づけられている。図３（ｂ）に示すレコードは、属性情報ＩＤに関連づけられて属性種類ＩＤ、属性種類名、属性情報の内容、公開フラグが記憶されている。属性情報ＩＤは属性情報が属性情報提供装置Ｃ側で生成される場合は、属性情報提供装置Ｃに記憶された時点で付与されており、属性情報を属性情報管理装置Ａにおいて生成する場合は属性情報管理装置Ａにおけるルールによって付与される。ここでは属性情報管理装置Ａの個性ＩＤに生成された順番を連番として付与したものを属性情報ＩＤとするものとする。また、図３（ｃ）に示すレコードは、属性情報利用装置Ｂの操作者の識別子である利用者ＩＤに関連付けて再利用許可フラグ、再利用が許可された属性情報の属性情報ＩＤが記憶されている。図３（ｄ）に示すレコードは属性情報提供装置Ｃを識別する提供者ＩＤと属性情報提供装置Ｃに対する認証を受けるためのパスワードが関連付けられた記憶されている。このパスワードは予め属性情報提供装置Ｃより送信されて記憶されているものとする。
【００３０】
（３）属性情報管理装置
属性情報管理装置Ａは、個性の管理者が使用する装置であり、主な機能として個性に含まれる属性情報を取得する機能と、個性を管理する機能と、個性を利用先に提出する機能を有する。属性情報管理装置Ａは多岐な機能を有するが、ここでは主として本発明に係る部分に関して説明を行う。
図４に属性情報管理装置Ａの機能を模式的に表す機能ブロック図を示す。図４に示されるように属性情報管理装置Ａは機能的に、属性情報読出部１０１、属性条件受付部１０２、利用属性条件通知部１０３、属性条件選択受付部１０４、許可属性情報抽出部１０５、抽出属性情報送信部１０６、利用者ＩＤ受付部１０７、再利用許可情報受付部１０８、利用者ＩＤ再利用許可書込部１０９、再利用属性情報抽出部１１０、再利用属性情報送信部１１１、不足属性種類抽出部１１２、不足属性種類通知部１１３、不足属性種類送信部１１４、属性取得情報受付部１１５、属性取得情報通知部１１６、不足属性情報受付部１１７、不足属性情報送信部１１８、属性情報追加書込部１１９、不足属性取得アドレス受付部１２０、不足属性情報取得部１２１、利用装置アクセス部１２２、外部属性情報取得部１２３、属性情報編集部１２４、入出力部１２５を有する。
【００３１】
属性情報読出部１０１は、個性を記録した記録媒体Ｘから記録内容を読み出す。
入出力部１２５は、操作者に対してモニタ等の出力デバイスを通じて画像を表示し、また、キーボードおよびマウス等の入力デバイスを通じて操作者からの入力を受け付ける。
利用装置アクセス部１２２は、操作者の入出力部１２５からの指示に従って通信回線を利用して個性を提出する先である属性情報利用装置Ｂへアクセスする。
属性条件受付部１０２は、個性に含まれる属性情報を利用する属性情報利用装置Ｂから、取得を要求する１以上の属性情報に関する条件を受け付ける。属性情報に関する条件としては属性情報の種類、属性情報の内容中のキーワード、データ形式、これらの組み合わせなどが想定される。属性条件受付部１０２には特に属性情報の種類の指定を条件として受け付ける属性種類受付部１０２ａが含まれる。
利用属性条件通知部１０３は、受け付けられた属性情報に関する条件を前記属性情報群の管理者である属性情報管理装置Ａの操作者へ通知する。具体的には、モニタ画面に要求された属性情報の条件を所定のフォーマットで表示する。なお、ここでは、属性条件として属性の種類の指定が受け付けられた場合には属性種類受付部１０２ａにより受け付けられたすべての属性情報の種類を表示するのではなく、前述した公開フラグが「０」の要許可属性種類のものだけを表示するようになっている。もちろん、これは受け付けられたすべての属性情報の種類を表示させるようにしてもよい。
【００３２】
属性条件選択受付部１０４は通知された属性情報に関する条件の中から特定の属性情報に関する条件の選択を前記操作者から受け付ける。具体的に、ここではモニタ画面に表示された属性情報の条件をマウスもしくはキーボードにより選択して、選択を確定することで選択された属性の条件が受け付けられるようになっている。この選択の際に一括選択ができるボタンが画面に表示されており一括選択もできるようになっている（図１４参照）。
許可属性情報抽出部１０５は前記属性情報読出部１０１を制御して、前記記録媒体Ｘから選択された属性情報の条件に合致する属性情報を抽出する。なお、属性情報に関する条件が属性の種類の指定である場合、属性種類受付部１０２ａにより受け付けられた属性の種類の指定のうち公開フラグが設定されているものについても選択された属性の種類として許可属性情報抽出部１０５により抽出される。
抽出属性情報送信部１０６は抽出された属性情報を前記属性情報利用装置Ｂへ送信する。
【００３３】
利用者ＩＤ受付部１０７は、前記属性情報利用装置Ｂから属性情報利用者の識別情報である利用者ＩＤを受け付ける。即ち、アクセスした属性情報利用装置Ｂからは属性情報利用者の識別情報となる利用者ＩＤが送られてくるようになっており、この利用者ＩＤが受け付けられる。
再利用許可情報受付部１０８は、属性情報管理装置Ａの操作者である個性の管理者から前記属性情報利用者に関して２回目以降の属性情報の送信許可を示す再利用許可情報を受け付ける。具体的には、受け付けられた利用者ＩＤが前記記録媒体Ｘに記録されていないものである場合に、前述した属性情報に関する条件から特定の条件の選択を受け付けるモニタ画面に同一の属性情報利用者に対して２回目以降の属性情報の利用を無条件で認めるかどうかを選択するチェックボックスボタンが表示され、これを選択することで２回目以降の属性情報の利用についての再利用許可情報を付与できるようになっている。
利用者ＩＤ再利用許可書込部１０９は受け付けられた前記利用者ＩＤと前記再利用許可情報と許可属性情報抽出部１０５により抽出された属性情報の属性情報ＩＤとを関連付けて前記記録媒体Ｘに記憶する。
【００３４】
再利用属性情報抽出部１１０は前記属性情報読出部１０１を介して前記記録媒体Ｘに前記利用者ＩＤ受付部１０７が受け付けた利用者ＩＤが前記再利用許可情報と関連付けられて記憶されているかどうかを参照し、受け付けられた利用者ＩＤと前記再利用許可情報とが関連付けられて記憶されている場合には前記属性情報利用装置Ｂから受け付けられた属性情報の条件に合致する属性情報を抽出する。この場合は、利用属性条件通知部１０３による属性情報に関する条件の通知は行われない。なお、ここで通知を行うようし送信確認を要求するようにしてもよい。
再利用属性情報送信部１１１は再利用属性情報抽出部１１０により抽出された属性情報を前記属性情報利用装置へ送信する。但し、ここでは利用者ＩＤに関連付けられて記録媒体に記憶されている属性情報ＩＤと、再利用属性情報抽出部１１０で抽出された属性情報の属性情報ＩＤが異なる場合は送信を行わない。
【００３５】
不足属性種類抽出部１１２は、前記属性情報読出部１０１を介して、前記記録媒体Ｘに記憶されている属性情報群と、属性種類受付部１０２ａにより受け付けられた属性の種類とを比較して不足している属性の種類を抽出する。
不足属性種類通知部１１３は、抽出された属性の種類を操作者へ通知する。具体的には、モニタ画面に不足している属性の種類名が表示されるようになっている。
不足属性種類送信部１１４は、抽出された不足している属性の種類を前記属性情報利用装置Ｂへ送信する。
属性取得情報受付部１１５は、前記属性情報利用装置Ｂから前記不足している種類の属性情報の取得方法もしくは取得場所の少なくとも一つを示す属性取得情報を受け付ける。後述するように、属性情報利用装置Ｂには、自己が利用する属性情報に関してどのように取得することができるか、もしくは、どこで取得することができるかを示す情報を属性取得情報として各属性の種類ごとに記憶してあり、不足している属性の種類があることを受け付けると、対応する属性取得情報を送信してくるようになっている。
属性取得情報通知部１１６受け付けられた属性取得情報を前記操作者へ通知する。これは、具体的にはモニタ画面を通じて行われる。
【００３６】
不足属性情報受付部１１７は前記不足属性種類抽出部１１２により抽出された種類の属性情報を受け付ける。即ち、通知された属性取得情報に従って、操作者は入出力装置から直接入力して不足している属性情報を取得するするか、もしくは属性情報提供装置Ｃにアクセスして不足している属性情報を取得することができ、この取得された属性情報が不足属性情報受付部１１７に受け付けられることになる。
不足属性情報送信部１１８は不足属性情報受付部１１７により受け付けられた属性情報及び後述する不足属性情報取得部１２１により取得された属性情報を前記属性情報利用装置Ｂへ送信する。
属性情報追加書込部１１９は不足属性情報受付部１１７により受け付けられた属性情報を前記記録媒体Ｘに追加書込みする。また、後述する不足属性情報取得部１２１により取得された属性情報および外部属性情報取得部１２３により取得された属性情報も前記記録媒体Ｘに追加書込みする。
【００３７】
不足属性取得アドレス受付部１２０は前記属性情報利用装置Ｂから、不足している属性の種類に合致する属性情報を取得できる属性情報提供装置Ｃのアドレス情報を受け付ける。即ち、後述するように属性情報利用装置Ｂが記憶している属性取得情報には、属性情報を取得できる属性情報提供装置Ｃのアドレス情報が含まれることがあり、属性提供情報としてこのアドレス情報が送信されてきた場合には不足属性取得アドレス受付部１２０により受け付けられることとなる。
不足属性情報取得部１２１は不足属性取得アドレス受付部１２０により受け付けられた前記アドレス情報に基づいて、属性情報提供装置Ｃへアクセスして不足している属性の種類に合致する属性情報を取得する。
外部属性情報取得部１２３は、操作者の指示に従って属性情報提供装置Ｃにアクセスして目的の属性情報を取得する。
属性情報編集部１２４は、操作者の指示に従って記録媒体Ｘに記録された属性情報の追加、削除、変更等の編集を行う。なお、属性情報提供装置Ｃから取得された属性情報に関しては通常は変更できないようになっている。また、属性情報編集部１２５により、各属性情報ごとの公開フラグの設定も行うことができる。
【００３８】
（４）属性情報利用装置
属性情報利用装置Ｂは、個性に含まれる属性情報を用いた個性の所有者に対するサービス等の働きかけを行うために、属性情報管理装置Ａから必要な属性情報を収集することが主たる機能である。ここでは属性情報利用装置Ｂが個性の所有者に対する働きかけを行う機能を有しているものとしているが、収集した属性情報群は別のサービス提供者に利用される場合もあり得るのでこの部分は必ずしも必要ではない。ここでは、以下本発明に係る部分を中心に属性情報利用装置Ｂの機能について説明する。
図５に属性情報利用装置Ｂの機能を模式的に表した機能ブロック図を示す。図５に示されるように属性情報利用装置Ｂは、機能的に利用属性条件記憶部２０１、属性情報条件送信部２０２、属性取得情報記憶部２０３、不足属性種類受付部２０４、属性取得情報抽出部２０５、属性取得情報送信部２０６、属性情報受付部２０７、認証装置アクセス部２０８、属性情報再送要求部２０９、属性情報データ形式管理装置アクセス部２１０、属性情報利用部２１２、利用結果送信部２１３を含む。
【００３９】
利用属性条件記憶部２０１は、属性情報を利用したサービス等の特定の働きかけを行うために利用するべき属性情報に関する条件を記憶する。この記憶される属性情報に関する条件は各属性情報利用装置Ｂが提供する働きかけに応じて設定される。図６（ａ）に示す利用属性条件記憶部２０１のレコード内容を表す模式図を示す。図６（ａ）に示すように利用属性条件記憶部２０１は、属性情報に関する条件を記憶している。この属性情報に関する条件が属性の種類の指定の場合には、条件として属性の種類の識別子である属性種類ＩＤが記憶されることになる。この意味において利用属性条件記憶部２０１は利用すべき属性の種類を記憶する利用属性種類記憶手段として機能する。
【００４０】
属性取得情報記憶部２０３は利用属性条件記憶部２０１に記憶された属性情報に関する条件としての属性の種類の指定ごとに属性情報の取得方法もしくは取得場所の少なくとも一つを示す属性取得情報を記憶する。但し、属性の種類によっては属性取得情報がない場合もあり得る。属性取得情報としては、属性情報管理装置の操作者が自ら入力等の操作が必要な属性情報であれば、どのような手続きをすればその情報が得られるかを示す情報などが例示される。また、通信回線で接続された属性情報提供装置Ｃから自動的に属性情報をダウンロードできるような場合は、その属性情報を取得できる属性情報提供装置のアドレス情報が例示できる。図６（ｂ）に属性取得情報記憶部２０３のレコード内容の模式図を示す。図６（ｂ）に示すように、属性取得情報記憶部２０３は属性種類ＩＤと属性取得情報を関連づけて記憶している。
【００４１】
属性情報条件送信部２０２は属性情報管理装置Ａからのアクセスがあり特定の働きかけの享受を受ける意思を受け付けた場合に、属性情報管理装置Ａに対して利用属性条件記憶部２０１に記憶された属性情報に関する条件を送信する。また、属性情報条件送信部２０２は属性情報利用装置Ｂに関する属性情報の利用者を識別する識別情報である利用者ＩＤを属性情報管理装置Ａへ送信する。なお、属性情報条件送信部２０２は条件として属性の種類の指定を送信する場合は属性情報種類送信手段として機能する。
不足属性種類受付部２０４は利用する属性情報のうち属性の種類を指定したものについて、この条件を送信した属性情報管理装置Ａから、属性情報管理装置Ａが管理する個性中に不足している属性の種類を属性不足情報として受け付ける。
属性取得情報抽出部２０５は受け付けられた不足している属性の種類について前記属性取得情報記憶部２０３から属性取得情報を抽出する。
属性取得情報送信部２０６は属性取得情報抽出部２０５により抽出された属性取得情報を属性情報管理装置Ａへ送信する。
属性情報受付部２０７は属性情報管理装置Ａから送信されてくる属性情報と属性情報ＩＤと個性ＩＤとを受け付ける。
認証装置アクセス部２０８は受け付けられた属性情報のうち、属性情報提供装置Ｃにより提供される種類の属性情報と属性情報ＩＤとを属性情報認証装置Ｄへ送信し認証結果を受け付ける。
【００４２】
属性情報再送要求部２０９は、認証装置アクセス部２０８が属性情報が有効性がないものであるとの認証結果を送信してきた場合および受け付けられた属性情報に不足がある場合に、その属性の種類と属性取得情報とを属性情報管理装置Ａに送信し、属性情報の再送を促す。
属性情報データ形式管理装置アクセス部２１０は、利用する属性情報のうち属性情報提供装置Ｃにより提供される種類の属性情報の属性種類ＩＤを定期的に属性情報データ形式管理装置Ｅへ送信し属性情報の最新のデータ形式を受け付ける。
データ形式変更通知部２１１は、属性情報データ形式管理装置アクセス部２１０により受け付けられたデータ形式と現在利用している属性情報のデータ形式を比較し、異なっている場合に属性情報利用装置Ｂの操作者に変更された属性情報とデータ形式を通知する。
属性情報利用部２１２は、必要な種類の属性情報がすべてそろった場合に所定の個性の管理者に対する働きかけを行う。
利用結果送信部２１３は、属性情報利用部２１２の働きかけの結果を属性情報管理装置Ａへ送信する。
【００４３】
（５）属性情報提供装置
属性情報提供装置Ｃは、外部機関により管理されている特定の種類の属性情報をその属性情報の所有者へ提供するものである。図７に属性情報提供装置Ｃの機能を模式的に表す機能ブロック図を示す。図７の属性情報提供装置の機能ブロック図に示すように属性情報提供装置Ｃは機能的に、属性情報記憶部３０1、要求受付部３０２、認証部３０３、要求属性情報抽出部３０４、要求属性情報送信部３０５、属性検証情報送信部３０６を含む。
【００４４】
属性情報記憶部３０１は、属性情報提供装置Ｃが管理している属性情報群を属性情報の所有者ごとに記憶している。図８の属性情報記憶部３０１のレコード内容の模式図に示されるように属性情報記憶部３０１は、属性情報を示す属性情報ＩＤごとに属性の種類ごとに付される属性種類ＩＤ、属性の種類の名称、属性情報の所有者の識別子である個性ＩＤ、属性情報の内容、認証情報としてのパスワードを関連付けて記憶している。
要求受付部３０２は、属性情報管理装置Ａからの属性情報の取得要求を受け付ける。取得要求は、個性ＩＤと属性種類ＩＤとにより構成される。
【００４５】
認証部３０３は、属性情報の取得要求を送信してきた属性情報管理装置Ａに対して認証処理を行う。具体的には、送信されてきた個性ＩＤに関連付けられた認証情報の送信要求を行い、送信されてきた認証情報と属性情報記憶部３０１に記憶された認証情報とが一致するか否かにより認証を行う。なお、認証情報は予め属性情報管理装置Ａの操作者に送信され、個性の一部として記録媒体Ｘに記録されているものとする。
要求属性情報抽出部３０４は、送信されてきた個性ＩＤに関連付けられている要求された種類の属性情報を抽出する。ここでは、図８における個性ＩＤとパスワード以外の部分を属性情報として抽出する。
要求属性情報送信部３０５は、要求属性情報抽出部３０４により抽出された属性情報を属性情報管理装置Ａへと送信する。
属性検証情報送信部３０６は、属性情報が属性情報管理装置Ａに送信される度に、属性情報の真偽を判断する検証情報と対応する属性情報の属性情報ＩＤを送信する。検証情報としては属性情報自体や、属性情報に所定の変換を施したもの、検証のためのアルゴリズムを表したプログラムデータなどが考えられる。ここでは、検証情報は属性情報自体としている。
【００４６】
（６）属性情報認証装置
属性情報認証装置Ｄは、属性情報利用装置Ｂが利用する属性情報が適正なものであることを認証するものである。なお、認証されるのは属性情報提供装置Ｃにより提供される属性情報である。図９に属性情報認証装置Ｄの機能を模式的に表す機能ブロック図を示す。図９に示すように属性情報認証装置Ｄは、属性検証情報受付部４０１、属性検証情報記憶部４０２、利用属性情報受付部４０３、属性検証情報抽出部４０４、属性情報判断部４０５、判断結果送信部４０６が含まれる。
【００４７】
属性検証情報受付部４０１は属性情報管理装置Ａに対して属性情報提供装置Ｃにより提供される属性情報の真偽を検証する検証情報と対応する属性情報を識別する属性情報ＩＤとを受け付ける。即ち、前述したように属性情報提供装置Ｃが属性情報を属性情報管理装置Ａへ送信する度に、検証情報としての属性情報が属性情報ＩＤとともに送られてくるので、これを受け付ける。
属性検証情報記憶部４０２は、属性検証情報受付部４０１が受け付けた検証情報と属性情報ＩＤとを関連づけて記憶する。なお、ここでは属性情報自体が検証情報であり属性情報ＩＤは属性情報に含まれているが、このように一体となっている場合も関連付けて記憶されているというものとする。
利用属性情報受付部４０３は、属性情報利用装置Ｂにより属性情報管理装置Ａから属性情報の受信が行われた後に、受信された属性情報と属性情報ＩＤとをこの属性情報利用装置Ｂから受け付ける。即ち、前述したように属性情報利用装置Ｂは受け付けた属性情報が属性情報提供装置Ｃから提供されたものである場合にはその属性情報と属性情報ＩＤとを送信してくるのでこれらが受け付けられることとなる。
【００４８】
属性検証情報抽出部４０４は、利用属性情報受付部４０３により受け付けられた前記属性情報ＩＤより属性検証情報記憶部４０２から関連付けられた検証情報を抽出する。
属性情報判断部４０５は属性検証情報抽出部４０４から抽出された検証情報を用いて利用属性情報受付部４０３により受け付けられた属性情報の真偽を判断する。ここでは、検証情報は属性情報自体であるので、記憶されている属性情報と受け付けられた属性情報とが一致するか否かの判断が行われる。
判断結果送信部４０６は属性情報判断部４０５による判断結果を属性情報と属性情報ＩＤとを送信してきた属性情報利用装置Ｂへ送信する。
なお、属性情報認証装置Ｄは属性情報提供装置Ｃと一体に形成される場合もある。また、ここでは検証情報と属性情報利用装置から送られてくる属性情報との対応付けを属性情報ＩＤによりおこなっているが、これは属性情報提供装置Ｄによる署名等の属性情報提供装置を識別する提供者ＩＤと、個性ＩＤ等の属性情報の所有者を識別する所有者ＩＤと、属性情報の種類を特定する属性種類ＩＤとの組み合わせにより検証情報と属性情報利用装置から送られてくる属性情報との対応付けを行うこともできる。但し、属性情報提供装置が一種類の属性情報しか提供しない場合は属性種類ＩＤは省略することができる。
【００４９】
（７）属性情報データ形式管理装置
属性情報データ形式管理装置Ｅは、属性情報提供装置Ｃから送信される属性情報のデータ形式を管理するものである。即ち、属性情報提供装置Ｃに記憶される属性情報は日時が経つと更新されるものがあり、属性情報を利用する属性情報利用装置において対応できなくなる場合がある。これを防ぐために属性情報データ形式管理装置Ｅは属性情報のデータ形式を一元的に管理する。図１０の属性情報データ形式管理装置Ｅの機能を模式的に表す機能ブロック図を示す。図１０に示すように属性情報データ形式管理装置Ｅは機能的に属性情報データ形式記憶部５０１、利用属性情報ＩＤ受付部５０２、属性情報データ形式抽出部５０３、属性情報データ形式送信部５０４を含む。
【００５０】
属性情報データ形式記憶部５０１は、属性情報管理装置Ａに対して属性情報を提供する属性情報提供装置Ｃに記憶される属性情報の最新のデータ形式をこの属性情報を識別する属性種類ＩＤと関連付けて記憶する。この属性情報データ形式記憶部５０１の内容は属性情報提供装置Ｃに記憶される属性情報のデータ形式が更新されるたびに属性情報提供装置Ｃから変更内容を受け付けて更新されるようになっている。
利用属性情報ＩＤ受付部５０２は、属性情報利用装置Ｂにより定期的に利用している属性情報の属性情報ＩＤをこの属性情報利用装置Ｂから受け付ける。
属性情報データ形式抽出部５０３は、受け付けられた属性種類ＩＤに基づいて前記属性情報データ形式記憶手段から前記データ形式を抽出する。
属性情報データ形式送信部５０４は属性情報データ形式抽出部５０３より抽出されたデータ形式を属性情報利用装置Ｂへ送信する。
【００５１】
（８）動作
（８−１）属性情報管理装置
属性情報管理装置Ａが属性情報利用装置Ｂへ属性情報を送信する際の動作について図１１、図１２の属性情報管理装置の動作を示すフローチャートに基づいて説明する。なお、個性が記録された記録媒体Ｘには図１３に示すような記録内容が記録されているものとする。
（ステップ１０１）  属性情報管理装置Ａの操作者の入出力部１２５からの指示に従って、利用装置アクセス部１２２が属性情報利用装置Ｂへアクセスしてサービス等の働きかけの享受を受けたい意思を示す情報を送信する。具体的には、ここでは属性情報利用装置Ｂはインターネット上に情報を受け付けるためのホームページを公開しており、利用装置アクセス部１２２では、まず、このホームページデータを受け付けて入出力部１２５により操作者に提示し、操作者はこのホームページ上から所定のボタンを選択することによりサービス等の働きかけの享受を受ける意思を示す情報が送信される。また、ここでは属性情報利用装置Ｂはサービスとして就職の斡旋を行うものとする。
【００５２】
（ステップ１０２）  働きかけの享受の意思が送信されると、属性情報利用装置Ｂからは働きかけに必要な情報として取得することを要求する属性情報に関する条件を送信してくる。ここでは属性情報に関する条件は属性の種類の指定のみであるものとする。この属性の種類の指定を属性条件受付部１０２の属性種類受付部１０２ａが受け付ける。ここでは、要求された属性の種類として、「氏名」「年齢」「性別」「住所」「電話番号」「電子メールアドレス」「資格」「住民票」「指定する英語検定試験の点数」「クレジットカード番号」についての属性種類ＩＤが送信され受け付けられたものとする。
（ステップ１０３）  同時に属性情報利用装置Ｂからは属性情報利用者の識別情報である利用者ＩＤが送られてくるので利用者ＩＤ受付部１０７がこれを受け付ける。
（ステップ１０４）  利用者ＩＤが受け付けられると再利用属性情報抽出部１１０は、属性情報読出部１０１を介して記録媒体Ｘに再利用許可情報とこの利用者ＩＤとが関連付けて記憶されているかどうかの判断を行う。
（ステップ１０５）  ステップ１０４で、受け付けられた利用者ＩＤが再利用許可情報と関連づけられている場合には、再利用属性情報抽出部１１０は属性情報読出部１０１を介して記録媒体Ｘから属性種類受付部１０２ａが受け付けた属性の種類に合致する属性情報を抽出する。
【００５３】
（ステップ１０６）  再利用属性情報抽出部１１０は、さらに、抽出した属性情報が再利用許可情報に関連付けられている属性情報に一致するかどうかの判断を行う。
（ステップ１０７）  ステップ１０６で抽出された属性情報と再利用許可情報と関連付けられている属性情報とが一致する場合は、再利用属性情報送信部１１１は抽出された属性情報を属性情報利用装置Ｂへ送信する。
（ステップ１０８）  ステップ１０４で利用者ＩＤが再利用許可情報と関連づけられていない場合、ステップ１０６で属性情報が一致しないと判断された場合には、利用属性条件通知部１０３が受け付けられた属性情報に関する条件としての属性の種類のうち、記録媒体Ｘにおいて公開フラグが「０」の要許可属性種類のものを入出力部１２５を通じて操作者に通知する。ここでは、図１３に示されるように要求された属性種類のうち要許可属性種類は、「住所」「電話番号」「クレジットカード番号」であるので、これらが入出力部１２５のモニタ画面に表示されることになる。具体例として、ここでは図１４に示すような画面が表示される。図１４に示す画面は、要求されている属性の種類のうちの要許可属性情報の項目名１４０１と、各項目ごとに送信を許可するチェックボックス１４０２と、すべての項目について送信を許可する一括選択チェックボックス１４０３と、同一の属性情報利用者に対して再利用の許可を設定する再利用許可チェックボックス１４０４と、送信ボタン１４０５とが表示されている。
【００５４】
（ステップ１０９）  属性条件選択受付部１０４が通知された属性の種類の中から入出力部１２５を通じて操作者の選択を受け付ける。具体的には、図１４に示す表示画面１４００から操作者がチェックボックス１４０２もしくは一括選択チェックボックス１４０３を選択することで送信してもよい属性の種類を指定し送信ボタン１４０５を選択することで選択された属性の種類が属性条件選択受付部１０４に受け付けられる。
（ステップ１１０）  許可属性情報抽出部１０５は属性情報読出部１０１を制御して記録媒体Ｘから属性条件選択受付部１０４により受け付けられた種類の属性情報と、属性条件受付部１０２の属性種類受付部１０２ａにより受け付けられた属性の種類のうち、公開フラグが設定されている種類の属性情報とを抽出する。
（ステップ１１１）  抽出属性情報送信部１０６は抽出された属性情報を属性情報利用装置Ｂへ送信する。
（ステップ１１２）  再利用許可情報受付部１０８は、属性情報管理装置Ａの操作者である個性の管理者から前記属性情報利用者に関して２回目以降の属性情報の送信許可を示す再利用許可情報が受け付けられたかどうかを判断する。ここでは、画面１４００において再利用許可チェックボックス１４０４が選択されたかどうかの判断が行われる。
【００５５】
（ステップ１１３）  ステップ１１２で再利用許可情報の受け付けがされている場合には、利用者ＩＤ再利用許可書込部１０９は受け付けられた前記利用者ＩＤと前記再利用許可情報と抽出された属性情報とを関連付けて前記記録媒体Ｘに記憶する。
（ステップ１１４）  不足属性種類抽出部１１２が属性情報読出部１０１を介して、記録媒体Ｘに記憶されている属性情報群と属性種類受付部１０２ａにより受け付けられた属性の種類とを比較して不足している属性の種類があるかどうかを判断する。ここで不足する属性の種類がなければ処理を終了する。
（ステップ１１５）  ステップ１１４で不足する属性の種類があった場合には、不足属性種類抽出部１１２がこの不足している属性の種類に合致する属性情報を抽出する。ここでは、「資格」「住民票」「指定する英語検定試験の点数」に関する属性種類ＩＤが不足した属性の種類として抽出されることになる。
（ステップ１１６）  不足属性種類送信部１１４は抽出された不足している属性の種類を属性情報利用装置Ｂへ送信する。
（ステップ１１７）  不足している属性の種類の送信に応答して、属性情報利用装置Ｂからは不足している属性の種類に対する属性取得情報を送信してくるので、属性取得情報受付部１１５がこの属性取得情報を受け付ける。
（ステップ１１８）  不足属性取得アドレス受付部１２０が受け付けられた属性取得情報が属性情報を取得できるアドレス情報を含むかどうかを判断する。ここでは、不足している属性の種類である「住民票」の属性取得情報がこのアドレス情報であったものとする。即ち、このアドレス情報は「住民票」を発行している公的機関が運営する属性情報提供装置Ｃのアドレス情報である。
【００５６】
（ステップ１１９）  ステップ１１８で属性情報が取得できるアドレス情報が含まれていると判断された場合に、不足属性取得アドレス受付部１２０がこれを受け付け、さらに、不足属性情報取得部１２１がこのアドレス情報に基づいて属性情報提供装置Ｃへアクセスする。そして、記録媒体Ｘから個性ＩＤを抽出して、この個性ＩＤとともに属性情報を要求する。
（ステップ１２０）  個性ＩＤと属性情報の要求を受けた属性情報提供装置Ｃから提供者ＩＤの送信とパスワードの送信要求がなされるので、不足属性情報取得部１２１は記録媒体Ｘから提供者ＩＤに基づいてパスワードを抽出し、属性情報提供装置Ｃへ送信する。
（ステップ１２１）  これを受けた属性情報提供装置Ｃから要求する属性情報が送信されてくるので、不足属性情報取得部１２１はこれを受け付ける。
（ステップ１２２）  不足属性取得アドレス受付部１２０がさらに属性情報を取得できるアドレス情報があるかどうかを判断する。即ち、属性取得情報は不足している原則として不足している属性情報ごと送られてくるので、属性取得情報として複数のアドレス情報が送られてくる場合があるので、ここで未処理のアドレス情報がまだ残っていないかどうかが判断される。ここで、まだ未処理のアドレス情報がある場合にはステップ１１９からの動作を繰り返し、未処理のアドレス情報がない場合には次のステップへ移行する。
【００５７】
（ステップ１２３）  不足属性種類通知部１１３が不足している属性の種類を入出力部１２５に表示させるとともに、属性取得情報通知部１１６が各属性の種類ごとに受け付けられた属性取得情報を通知する。なお、属性取得情報が属性情報を取得できるアドレス情報であった場合や属性取得情報がなかった場合には表示されない。なお、アドレス情報であっても属性情報提供装置Ｃから自動的に取得できない場合は属性取得情報として表示される。図１５にこの表示画面１５００の具体例を示している。図１５に示すように表示画面１５００には不足属性の種類として「資格」「英語検定試験の点数」等の種類名１５０１と、属性取得情報としての入力フォーム１５０２と、属性取得情報としてのテキスト情報１５０３と、書式を保存するための保存ボタン１５０４と、入力したデータを確定して送信するための送信ボタン１５０５とが表示されている。なお、テキスト情報１５０３には英語検定試験の受験要綱、申込み方法、試験会場等の英語検定試験の点数を得るために必要な情報が記載してある。
【００５８】
（ステップ１２４）  不足属性情報受付部１１７は不足している種類の属性情報を入出力部１２５を介して操作者から受け付ける。具体的には、図１５に示す表示画面１５００の入力フォーム１５０２に情報が入力され、送信ボタン１５０５が選択された場合に、入力された情報を受け付ける。なお、「英語検定試験の点数」に関しては、現時点で検定試験を受けていない場合があるので、その場合は操作者により一旦保存ボタン１５０４が選択され、属性取得情報としてのテキスト情報１５０３に基づいて操作者が英語検定試験を受けてその点数がわかった後に保存していた表示画面１５００が読み出され、その点数が入力され送信ボタン１５０５が選択されることになる。
（ステップ１２５）  不足属性情報受付部１１７が受け付けた属性情報および不足属性情報取得部１２１が取得した属性情報を、属性情報追加書込部１１９が記録媒体Ｘに追加書き込みする。
（ステップ１２６）  不足属性情報受付部１１７が受け付けた属性情報および不足属性情報取得部１２１が取得した属性情報を、不足属性情報送信部１１８が属性情報利用装置Ｂへ送信する。
【００５９】
（８−２）属性情報利用装置
属性情報利用装置Ｂが属性情報管理装置Ａから属性情報を受け付ける際の動作について図１６に示す属性情報利用装置Ｂの動作を示すフローチャートに基づいて説明する。
（ステップ２０１）  属性情報条件送信部２０２が属性情報管理装置Ａからの特定の働きかけの享受を受ける意思を受け付ける。
（ステップ２０２）  属性情報条件送信部２０２がこの意思の受付に応じて、利用属性条件記憶部２０１に記憶された属性情報に関する条件としての属性の種類の指定となる属性種類ＩＤを属性情報管理装置Ａへ送信する。
（ステップ２０３）  利用する属性の種類を属性情報管理装置Ａが受け付けると属性情報が送信されてくるので、属性情報受付部２０７がこれを受け付ける。なお、要求する属性情報には必ず個性ＩＤが付与されて送られてくるようになっている。
（ステップ２０４）  属性情報受付部２０７で必要な属性情報はすべて受け付けられたかどうかの判断が行われる。ここで、すべての属性情報が受け付けられていると判断された場合には属性情報の受け付け処理は終了する。
【００６０】
（ステップ２０５）  ステップ２０４で必要な属性情報がまだすべて受け付けられていないと判断された場合には、不足属性種類受付部２０４が属性情報管理装置Ａから送られてくる不足している属性の種類を受け付ける。
（ステップ２０６）  属性取得情報抽出部２０５が受け付けられた不足している属性の種類について属性取得情報記憶部２０３から属性取得情報を抽出する。
（ステップ２０７）  属性取得情報送信部２０６が抽出された属性取得情報を属性情報管理装置Ａへ送信する。
（ステップ２０８）  属性取得情報に基づく属性情報はすぐに得られないものもあるので、属性情報管理装置Ａ側で一旦通信を切断する場合がある。そこで、属性情報受付部２０７では属性情報を受け付けるまでに通信回線が切断されたかどうかの判断を行う。
（ステップ２０９）  ステップ２０８で通信回線が切断されていないと判断された場合には、同時に属性情報受付部２０７は属性情報管理装置Ａからデータの受信があったかどうかを判断し、データの受信がない場合にはステップ２０８に戻る。
【００６１】
（ステップ２１０）  ステップ２０８で通信回線が切断されたと判断した場合には、属性情報受付部２０７は、ステップ２０３で受付られた属性情報を記憶して処理を終了する。なお、ステップ２０３で受け付けられた属性情報には個性ＩＤが含まれているので、次に接続されてきた場合に、記憶されている属性情報がどの属性情報管理装置Ａに関するものかを識別することができる。
（ステップ２１１）  ステップ２０９で属性情報管理装置Ａからデータの受信があったと判断された場合は、このデータは残りの属性情報であるので属性情報受付部２０７はこれを受け付ける。
次に、上記ステップ２０８において回線が接続されたと判断され処理が終了したのちに、同一の属性情報管理装置Ａから属性情報が送信されてくる場合の動作について図１７の回線再接続後の属性情報利用装置の動作を示すフローチャートに基づいて説明する。
（ステップ３０１）  属性情報管理装置Ａからアクセスがあり不足している属性情報と個性ＩＤが送られてくるので属性情報受付部２０７は、これを受け付ける。
（ステップ３０２）  受けうつけられた個性ＩＤに基づいて記憶されているこの個性ＩＤを含む属性情報群を抽出する。
（ステップ３０３）  抽出された属性情報群とステップ３０１で受け付けられた属性情報群とを一つのグループとする。
【００６２】
（８−３）属性情報認証装置
属性情報認証装置Ｄの認証動作について図１８の属性情報認証装置Ｄの動作を示すフローチャートに基づいて説明する。なお、既に、属性検証情報記憶部４０２には属性情報提供装置Ｃから送信されてきた属性情報と属性情報ＩＤとが関連付けられて記憶されているものとする。
（ステップ４０１）  属性情報管理装置Ａから属性情報を受信した属性情報利用装置Ｂより、属性情報と属性情報ＩＤとが送信されてくるので、利用属性情報受付部４０３がこれを受け付ける。
（ステップ４０２）  属性検証情報抽出部４０４が、受け付けられた属性情報ＩＤに基づいて属性検証情報記憶部４０２から属性検証情報としての属性情報を抽出する。
（ステップ４０３）  属性情報判断部４０５が、ステップ４０１で受け付けられた属性情報とステップ４０２で抽出された属性情報とを比較し一致するかどうかの判断をおこなう。
（ステップ４０４）  判断結果送信部４０６が、属性情報判断部４０５の判断結果を属性情報利用装置Ｂへ送信する。
【００６３】
（実施の形態２）
以下、実施の形態２に係る個性運用システムについて説明する。実施の形態２に係る個性運用システムは属性情報管理装置および属性情報提供装置の構成が変わるのみであとの構成は実施の形態１に係る個性運用システムと同様である。
（１）属性情報管理装置Ａｘ
図１９に実施の形態２に係る属性情報管理装置Ａｘの機能を模式的に表す機能ブロック図を示す。この属性情報管理装置Ａｘが実施の形態１に係る属性情報管理装置Ａと相違するのは利用属性条件通知部１０３、属性条件選択受付部１０４、許可属性情報抽出部１０５、抽出属性情報送信部１０６、不足属性種類抽出部１１２、不足属性種類送信部１１４が無く、替わりに受付属性情報抽出部１３０、抽出属性情報通知部１３１、属性情報選択受付部１３２、選択属性情報送信部１３３が設けられている点である。以下、新たに設けられた構成部分について説明する。
受付属性情報抽出部１３０は属性情報読出部１０１を制御して、属性条件受付部１０２により受け付けられた条件に合致する属性情報を前記記録媒体から抽出する。なお、条件が属性の種類の指定の場合は受付属性情報抽出部１３０に含まれる受付属性種類抽出部１３０ａにより受けうつけられた属性の種類に合致する属性情報を前記記録媒体から抽出する。
【００６４】
抽出属性情報通知部１３１は受付属性情報抽出部１３０により抽出された属性情報を操作者に通知する。具体的には抽出された属性情報の名称および内容を入出力部１２５のモニタ画面を通じて表示する。但し、抽出された属性情報の公開フラグが「１」である場合には通知は行わない。
属性情報選択受付部１３２は通知された属性情報の選択を前記操作者から受け付ける。ここでは、モニタ画面に表示された属性情報の名称および内容に対して操作者がマウスもしくはキーボートにより選択し、選択を確定することにより選択された属性情報が受け付けられるようになっている。この選択についても一括選択ができるボタンが画面に表示されており一括選択もできるようになっている。
選択属性情報送信部１３３は選択された属性情報を前記属性情報利用装置Ｂｘへ送信する。但し、受付属性情報抽出部１３０が抽出した中に公開フラグが「１」のものがあった場合にはこの公開フラグが「１」の属性情報も属性情報利用装置Ｂｘへ送信する。なお、選択属性情報送信部１３３は受付属性種類抽出部１３０ａにより抽出された属性情報を送信する抽出属性情報送信手段としても機能する。
【００６５】
（２）属性情報利用装置Ｂｘ
図２０に属性情報利用装置Ｂｘの機能を模式的に表す機能ブロック図を示す。この属性情報利用装置が実施の形態１にかかる属性情報利用装置Ｂと相違するのは、不足属性種類受付部２０４がなく、替わりに受付属性不足種類抽出部２２０が設けられている点である。以下、これらの相違点について説明する。
受付属性不足種類抽出部２２０は、属性情報受付部２０７により受け付けられた属性情報の属性の種類と前記利用属性条件記憶部２０１に記憶された属性の種類とを比較して不足している属性の種類を抽出する。なお、属性情報受付部２０７は要求属性情報受付手段として機能する。また、不足属性種類受付部２０４が無くなったので、属性取得情報抽出部２０５ｘは、不足属性種類受付部２０４により受け付けられた属性の種類に替えて、受付属性不足種類抽出部２２０により抽出された属性の種類について前記属性取得情報記憶部２０３から属性取得情報を抽出する。
【００６６】
（３）動作
以下、上記属性情報管理装置Ａｘおよび属性情報利用装置Ｂｘにおける相違点に基づく動作の相違点について説明する。
（３−１）属性情報管理装置Ａｘ
属性情報管理装置Ａｘの動作に関しては図１１に示すフローチャートの（ステップ１０８〜ステップ１１１）が図２１に示すフローチャートの（ステップ１３０〜ステップ１３３）に置き換わる。また、図１１の（ステップ１１４）、図１２の（ステップ１１５〜ステップ１１６）は無くなる。
（ステップ１３０）  ステップ１０４で利用者ＩＤが再利用許可情報と関連づけられていない場合、ステップ１０６で属性情報が一致しないと判断された場合には、受付属性情報抽出部１３０が受け付けられた属性情報に関する条件に合致する属性情報を抽出する。
（ステップ１３１）  抽出属性情報通知部１３１が抽出された属性情報のうち、記録媒体Ｘにおいて公開フラグが「０」の要許可属性種類のものを入出力部１２５を通じて操作者に通知する。
（ステップ１３２）  属性情報選択受付部１３２が通知された属性情報の中から入出力部１２５を通じて操作者の選択を受け付ける。
（ステップ１３３）  選択属性情報送信部１３３は属性情報選択受付部１３２により受けつけられた属性情報を属性情報利用装置Ｂｘへ送信する。
【００６７】
（３−２）属性情報利用装置
属性情報管理装置Ｂｘの動作に関しては図１６に示すフローチャートの（ステップ２０５）が図２２に示すフローチャートの（ステップ２２０〜ステップ２２１）に置き換わる。
（ステップ２２０）  ステップ２０４で必要な属性情報がまだすべて受け付けられていないと判断された場合には、受付属性不足種類抽出部２２０が属性情報受付部２０７が受け付けた属性情報の属性種類ＩＤと利用属性条件記憶部２０１に記憶された条件としての属性情報ＩＤとを比較する。
（ステップ２２１）  受付属性不足種類抽出部２２０は、比較の結果として不足している属性情報ＩＤを抽出する。
【００６８】
【発明の効果】
以上の説明から、本発明は次のような効果を奏する。請求項１に記載の属性情報管理装置は、属性情報利用装置から要求される属性の条件を条件に合致する属性情報を属性情報利用装置へ送信する前に、属性情報管理装置の操作者がその条件に合致する属性情報を送ってよいかどうかの判断を行うことができるので、不用意に不利益をもたらす可能性のある相手に重要な属性情報を送信することを防止できる等、属性情報の適切な管理が可能となり、さらに、予め許可無く送信してもよい属性の種類に関しては通知されないので操作者が不必要な判断をする手間が省かれ、装置の操作性が向上する。
【００６９】
請求項２に記載の属性情報管理装置は、属性情報利用装置から要求される属性の条件に基づき抽出される属性情報を属性情報利用装置へ送信する前に、属性情報管理装置の操作者が抽出された属性情報を送ってよいかどうかの判断を行うことができるので、やはり、不用意な属性情報の送信の防止等の属性情報の適切な管理が可能となり、さらに、予め許可無く送信してもよい属性情報に関しては操作者に通知されないので操作者が不必要な判断をする手間が省かれ、やはり装置の操作性が向上する。
【００７１】
請求項３に記載の属性情報管理装置は、属性情報利用装置から要求された属性の種類に合致する属性情報が不足している場合に属性情報群の管理者である操作者へ不足している属性の種類が通知されることになるので、属性情報管理装置の操作者はこれにもとづいて不足している属性情報を入力もしくは属性情報提供装置から取得することができ、さらに、不足していた属性情報が属性情報利用装置に送信されるとともに、もとの記録媒体には無かった新たな属性情報が記録媒体に追加して記憶されることになるので、記録媒体の内容を使用される度に追加し充実させることが可能となる。
請求項４に記載の属性情報管理装置は、属性情報利用装置が要求する種類の属性情報が無い場合に、これを取得するための情報である属性取得情報が属性情報の管理者である操作者へ通知されることになるので、属性情報管理装置の操作者はこの属性取得情報を参照して不足している属性情報を容易に得ることができる。
【００７２】
請求項５に記載の属性情報管理装置は、属性情報利用装置が要求する種類の属性情報が無い場合に、これを取得するための情報である属性取得情報が属性情報の管理者である操作者へ通知されることになり、やはり属性情報管理装置の操作者はこの属性取得情報を参照して不足している属性情報を容易に得ることができ、さらに、不足していた属性情報が属性情報利用装置に送信されるとともに、もとの記録媒体には無かった新たな属性情報が記録媒体に追加して記憶されることになるので、記録媒体の内容を使用される度に追加し充実させることが可能となる。
【００７３】
請求項６に記載の発明は、属性情報利用装置が要求する属性情報が無い場合に、この不足している属性情報を取得できる属性情報提供装置のアドレス情報に基づいて自動的に不足している属性情報を取得し、属性情報利用装置へ送信することができるので、不足している属性情報に関して属性情報管理装置の操作者の操作の必要をなくすることができ、さらに、属性情報管理装置では自動的に元の記録媒体には不足していた属性情報が、記録媒体に追加記録されることになるので記録媒体への属性情報の追加に際して属性情報管理装置の操作者の労力の低減が図られる。
【００７５】
請求項７に記載のプログラムは一般的なコンピュータに組み込むことにより上記効果を奏する各装置を容易に得ることができる。
【図面の簡単な説明】
【図１】個性運用システムの概要を表す模式図である。
【図２】各装置のハードウエア構成の概略を表すブロック図である。
【図３】（ａ）（ｂ）（ｃ）（ｄ）とも個性を記憶した記録媒体のレコード構成の概略図である。
【図４】属性情報管理装置Ａの機能を模式的に表す機能ブロック図である。
【図５】属性情報利用装置Ｂの機能を模式的に表す機能ブロック図である。
【図６】  (ａ)は利用属性条件記憶部のレコード内容の模式図であり、（ｂ）は属性取得情報記憶部のレコード内容の模式図である。
【図７】属性情報提供装置Ｃの機能を模式的に表す機能ブロック図をである。
【図８】属性情報記憶部のレコード内容の模式図である。
【図９】属性情報認証装置Ｄの機能を模式的に表す機能ブロック図である。
【図１０】属性情報データ形式管理装置Ｅの機能を模式的に表す機能ブロック図である。
【図１１】属性情報管理装置の動作を示すフローチャートである。
【図１２】図１１に続く属性情報管理装置の動作を示すフローチャートである。
【図１３】個性が記録された記録媒体の内容の例を示す図である。
【図１４】利用属性条件通知部が受け付けられた属性情報に関する条件としての属性の種類を通知する画面の例を示す図である。
【図１５】不足属性種類通知部が不足している属性の種類を通知し、属性取得情報通知部が属性取得情報を通知する画面の例を示す図である。
【図１６】属性情報利用装置Ｂの動作を示すフローチャートである。
【図１７】回線再接続後の属性情報利用装置の動作を示すフローチャートである。
【図１８】属性情報認証装置Ｄの動作を示すフローチャートである。
【図１９】属性情報管理装置Ａｘの機能を模式的に表す機能ブロック図である。
【図２０】属性情報利用装置Ｂｘの機能を模式的に表す機能ブロック図である。
【図２１】実施の形態２に係る属性情報管理装置Ａｘの動作における、図１１に示すフローチャートでの置換部分を示すフローチャートである。
【図２２】実施の形態２に係る属性情報利用装置Ｂｘの動作における、図１６に示すフローチャートでの置換部分を示すフローチャートである。
【符号の説明】
Ａ、Ａｘ  属性情報管理装置          Ｂ、Ｂｘ  属性情報利用装置
Ｃ        属性情報提供装置          Ｄ        属性情報認証装置
Ｅ        属性情報データ形式管理装置
１０１    属性情報読出部            １０２    属性条件受付部
１０２ａ  属性種類受付部            １０３    利用属性条件通知部
１０４    属性条件選択受付部        １０５    許可属性情報抽出部
１０６    抽出属性情報送信部        １０７    利用者ＩＤ受付部
１０８    再利用許可情報受付部      １０９    利用者ＩＤ再利用許可書込部
１１０    再利用属性情報抽出部      １１１    再利用属性情報送信部
１１２    不足属性種類抽出部        １１３    不足属性種類通知部
１１４    不足属性種類送信部        １１５    属性取得情報受付部
１１６    属性取得情報通知部        １１７    不足属性情報受付部
１１８    不足属性情報送信部        １１９    属性情報追加書込部
１２０    不足属性取得アドレス受付部  １２１    不足属性情報取得部
２０１    利用属性条件記憶部        ２０２    属性情報条件送信部
２０３    属性取得情報記憶部        ２０４    不足属性種類受付部
２０５    属性取得情報抽出部        ２０６    属性取得情報送信部
２０７    属性情報受付部属性        ４０１    検証情報受付部
４０２    属性検証情報記憶部        ４０３  利用属性情報受付部
４０４    属性検証情報抽出部        ４０５  属性情報判断部
【図１】
0004601227.tif 000002
【図２】
0004601227.tif 000003
【図３】
0004601227.tif 000004
【図４】
0004601227.tif 000005
【図５】
0004601227.tif 000006
【図６】
0004601227.tif 000007
【図７】
0004601227.tif 000008
【図８】
0004601227.tif 000009
【図９】
0004601227.tif 000010
【図１０】
0004601227.tif 000011
【図１１】
0004601227.tif 000012
【図１２】
0004601227.tif 000013
【図１３】
0004601227.tif 000014
【図１４】
0004601227.tif 000015
【図１５】
0004601227.tif 000016
【図１６】
0004601227.tif 000017
【図１７】
0004601227.tif 000018
【図１８】
0004601227.tif 000019
【図１９】
0004601227.tif 000020
【図２０】
0004601227.tif 000021
【図２１】
0004601227.tif 000022
【図２２】
0004601227.tif 000023